(57)【要約】【課題】  排泄物処理袋において畳んでも薄く、使用の際に底部が丸味を呈し、強度もあり携帯や扱いが便利な排泄物処理袋、及び、携帯トイレセットを提供する。【解決手段】  直鎖状低密度ポリエチレンの厚さが１０μｍ程度のフィルムからなる袋であって、袋は円筒状の長手方向に細長い上面部と下面部を設けて、その他の部分を上面部と下面部との間に複数の襞状にして畳んで積層して、該積層した積層フィルムの長手方向の所定長毎に直角方向に加熱接着して加熱接着部として、それより長手方向の上側を袋底部とし、該袋底部の下側に位置する箇所に切断用のミシン目を設け、使用に際してミシン目から切り離して袋底部が丸みを呈する排泄物処理袋、及び、その排泄物処理袋と凝固剤と消臭剤を入れた水溶性の袋とを組み合わせた携帯トイレセット。【選択図】図７
2016059720.tif 000002
【特許請求の範囲】
【請求項１】
直鎖状低密度ポリエチレンの薄いフィルムからなる袋であって、
該袋は円筒状の長手方向に細長い上面部と下面部を設けて、その他の部分を上面部と下面部との間に複数の襞状に畳んだ襞状部を形成して積層フィルム帯とし、該積層フィルム帯の長手方向の所定長毎に直角方向に加熱接着して加熱接着部として、それより長手方向の上側を袋底部とし、該袋底部の下側に位置する箇所に切断用のミシン目を設け、使用に際してミシン目から切り離して袋底部が丸みを呈することを特徴とする排泄物処理袋。
【請求項２】
前記薄いフィルムの厚さは、５〜１５μｍであることを特徴とする請求項１に記載の排泄物処理袋。
【請求項３】
前記薄いフィルムの厚さは、１０μｍであることを特徴とする請求項１に記載の排泄物処理袋。
【請求項４】
前記複数の襞状部は左右に３枚としたことを特徴とする請求項１から３の記載から選択される排泄物処理袋。
【請求項５】
請求項１から４の記載から選択される記載の排泄物処理袋と、消臭剤と凝固剤を入れた水溶性の袋とを組み合わせたことを特徴する携帯トイレセット。
【請求項６】
前記消臭剤はヤシ殻活性炭であることを特徴する請求項５に記載の携帯トイレセット。
【請求項７】
前記凝固剤はポリアクリル酸ナトリウムの高吸水性高分子であることを特徴する請求項５に記載の携帯トイレセット。
【発明の詳細な説明】
【技術分野】
【０００１】
本発明は、排泄物処理袋、及び、携帯トイレセットに関するものであり、更に詳しくは、災害時や身体障害者等において使用され、また、運転中交通渋滞に巻き込まれたとき使用される排泄物処理袋、及び、携帯トイレセットに関するものである。
【背景技術】
【０００２】
近年、災害時や病院、交通渋滞時等で使用されるトイレ、また身体障害者、高齢者等が使用する排泄物処理袋及び携帯用トイレが知られており、例えば、男女兼用等各種の携帯用トイレが市販されている。
具体的には細長いホース状のポリ袋と紙筒ガイドとを有する男性用携帯トイレが、例えば、特許文献１、特許文献２に開示されている。
これら特許文献１の簡易トイレ及び排泄物処理袋において、排泄物処理袋はポリエチレンフィルムで作られ、袋体開口部近傍には紐を通すための孔等を設けて、紐を用いて袋体の口を括るようにしている。
また、特許文献２のポケットトイレは、板状環状部材と袋体からなり、板状環状部材は長手方向に対して折り曲げ、袋体は上端開口部の下方の内側表面に開閉用ファスナーを設けて開閉自在とし、さらに、袋体中には尿水吸収材、凝固剤及び消臭剤を有している。
なお、特許文献３には、尿吸収凝固包装体が開示され、この包装体は水溶紙で形成される袋内に椰子殻活性炭と吸水性ポリマーを封入し，小便に対する使用時には袋のまま尿内に投入して該尿を吸収凝固させる尿吸収凝固包装体が開示されている。
【先行技術文献】
【特許文献】
【０００３】
【特許文献１】特開２００７−５０１３５号公報
【特許文献２】特開２０１３−２４８１０５号公報
【特許文献３】特開２０１３−２１２１５４号公報
【発明の概要】
【発明が解決しようとする課題】
【０００４】
ところで、前記の特許文献１、特許文献２の排泄物処理袋は、袋体開口部近傍には紐を通すための孔を設けたり、ファスナーを設けたりしなければならないので、厚みもありゴワゴワしたものであり、何よりも、多量の携帯トイレセットとして備蓄しようとすると、スペースも必要であり、手軽に多数の人に配るのには不都合であるといった問題点があった。
また、排泄物が入った処理袋を廃棄するにしても、ゴワゴワしており体積も大きくなり処理しにくいと言った問題点もあった。
本発明は、前述の問題点に鑑みてなされたもので、排泄物処理袋において畳んでも厚さが薄くて嵩張らず、使用の際に底部が丸味を呈し、強度もあり携帯や扱いが便利な排泄物処理袋、及び、携帯トイレセットを提供しようとするものである。
【課題を解決するための手段】
【０００５】
上記課題を解決するために、請求項１の発明は、直鎖状低密度ポリエチレンの薄いフィルムからなる袋であって、該袋は円筒状の長手方向に細長い上面部と下面部を設けて、その他の部分を上面部と下面部との間に複数の襞状に畳んだ襞状部を形成して積層フィルム帯とし、該積層フィルム帯の長手方向の所定長毎に直角方向に加熱接着して加熱接着部として、それより長手方向の上側を袋底部とし、該袋底部の下側に位置する箇所に切断用のミシン目を設け、使用に際してミシン目から切り離して袋底部が丸みを呈することを特徴とする排泄物処理袋である。
請求項２の発明は、請求項１に記載の排泄物処理袋において、前記薄いフィルムの厚さは、５〜１５μｍであることを特徴とする。
請求項３の発明は、請求項１に記載の排泄物処理袋において、前記薄いフィルムの厚さは、１０μｍであることを特徴とする。
請求項４の発明は、請求項１から３の記載から選択される排泄物処理袋において、前記複数の襞状部は左右に３枚としたことを特徴とする。
請求項５の発明は、請求項１から４の記載から選択される記載の排泄物処理袋と、消臭剤と凝固剤を入れた水溶性の袋とを組み合わせたことを特徴とする携帯トイレセットである。
請求項６の発明は、請求項５に記載の携帯トイレセットにおいて、前記消臭材はヤシ殻活性炭であることを特徴する。
請求項７において、請求項５に記載の携帯トイレセットにおいて、前記凝固剤はポリアクリル酸ナトリウムの高吸水性高分子であることを特徴とする。
【発明の効果】
【０００６】
請求項１乃至４の排泄物処理袋の発明によれば、排泄物処理袋は畳んでも極めて厚さが薄く嵩張らず、使用の際に底部が丸味を呈し、強度もあり、携帯や扱いが便利となり、災害用などのために大量に備蓄しても場所を占領せず、処理も生ゴミとして処理が可能である。
また、請求項５乃至７の携帯トイレセットの発明によれは、排泄物処理袋が畳んでも薄くなり、凝固剤と消臭剤とを入れた水溶性の袋と組み合わせても、極めて小型軽量の携帯トイレセットとなり、家庭や自動車に常備しても場所を取らず、使用形態も故障したトイレや、上部が開放した箱や、野外でも使用できるといった様に、多岐に亘り、災害用の備蓄にも最適であり、且つ、排泄物が入った処理袋を廃棄する際にも生ゴミ或いは家庭ゴミとして廃棄が可能となり、場所も取らないといった利点がある。
【図面の簡単な説明】
【０００７】
【図１】本発明の実施例の直鎖状低密度ポリエチレンの円筒状のフィルムを折り畳んだ部分斜視図、
【図２】図１の折り畳んだフィルムを押圧つした状態の部分斜視図、
【図３】図２の積層したフィルムの所定箇所にヒートシールとして積層フィルムを加熱接着し、ミシン目を施した状態の部分斜視図、
【図４】図３の状態のフィルム帯をミシン目から切り離して排泄物処理袋とした斜視図、
【図５】図４のＡ部分の拡大部分斜視図、
【図６】実施例で使用する直鎖状低密度ポリエチレンの性能の[表１]の図、
【図７】本発明の実施例の携帯トイレセットの断面図、
【図８】本発明の実施例の排泄物処理袋及び携帯トイレセットのトイレでの使用方法を説明する説明図、
【図９】図８で排泄後の排泄物処理袋の処理方法を説明する説明図である。
【発明を実施するための形態】
【０００８】
本発明は、直鎖状低密度ポリエチレン(ＬＬＤＰＥ(Linear Low Density Poiythylene))の極めて薄いフィルムからなる袋であって、この筒状のフィルムを複数の襞状にして畳んで積層して、底部を熱シールし、使用に際して袋底部が丸みを呈するようにした排泄物処理袋、及び、それを使用した携帯トイレセットとしたことにより、初期の目的を達成したものである。
以下に、本発明の排泄物処理袋、及び、携帯トイレセットの好適な実施例を図面を参照して説明する。
【実施例】
【０００９】
本発明の実施例の排泄物処理袋は、直鎖状低密度ポリエチレン(ＬＬＤＰＥ)の極めて薄いフィルムを使用するが、その厚さは、５〜１５μｍ、好ましくは、１０μｍ（０.０１mm）のものを使用している。
なお、、この直鎖状低密度ポリエチレンは、Linear Low Density Polyethylene‐L-LDPEとも呼ばれ、繰り返し単位のエチレンと若干量のα‐オレフィンを共重合させた、熱可塑性樹脂に属する合成樹脂で、JIS K6899-1：2000においてリニアポリエチレンとは密度0.910〜0.925の直鎖状ポリエチレンコポリマーと定義されいる。食品包装の接着層等に使用され、耐ピンホール性に優れ、剛性や柔軟性はHDPEとLDPEの中間に位置し、耐熱性、耐水・耐薬品性に優れ、耐油性や界面活性剤が起こすストレスクラッキング（環境応力亀裂）への耐性はHDPEやLDPEを上回るものである。
【００１０】
図１に示すように、本実施例の排泄物処理袋１は、この直鎖状低密度ポリエチレンの円筒状の薄いフィルム２を折り畳んで部分的に加熱してヒートシールするが、まず、その前提として、長手方向に細長い上面部２１と下面部２２を設けて、その他の部分を上面部２１と下面部２２との間に、蛇腹の複数の襞状にして畳んで積層する。この襞状(蛇腹状)の襞状部２３は、長手方向の中心線２４の位置まで約７．５cmの襞であるが(１つの襞状部の長さは１５cm)、両側から図１に示すように三層の襞状部２３a,２３b,２３cを形成するように折り畳んでいる。すなわち、両外側から３枚の襞状部２３a,２３b,２３cが内側に折り込まれている。
したがって、図１、図２から判るように、上から下に８層のフィルム２が積層されており、この積層フィルム帯３を押し圧すれば厚さが理論的には、１０μｍ×８枚＝８０μｍである。また、本実施例では、上面部１１及び下面部１２の幅は約１５cmであるので、元の円筒の円周の長さは、１５cm×８枚＝１２０cmである。
なお、襞状部２３の枚数が多ければ多いほど円周の長さは大きくなるが、逆に、積層フィルム帯３の厚みが増すので、製品を折りたたみずらく、円筒の直径も大きすぎるので襞状部２３の枚数は２枚から５枚程度が良く、好ましくは、本実施例のように３枚程度が扱い易さを考慮すれば適当である。
【００１１】
次に、図３及び図４に示すように、積層したフィルム２の積層フィルム帯３を長手方向の所定長毎に、本実施例では６０cm毎に、長手方向に対して直角方向に加熱し加圧するヒートシールし加熱接着部４として、それより長手方向の上側を袋底部１２とし、この袋底部１２及び加熱接着部４の長手方向の下側に位置する箇所に切断用のミシン目５を設け、図４及びその切り口の拡大部分斜視図に示すように、使用に際してミシン目５から切り離して、一方のミシン目５は次の袋の開口部１１になり、加熱接着部４の近傍は袋底部１２が丸みを呈する排泄物処理袋となる。
この袋底部１２が丸みを呈する(図８、９参照)のは、袋の下端部が長さ１５cmのヒートシールされた加熱接着部４となり、そこから両側にそれぞれ３枚の襞が展開、すなわち１５／２cm×３層＝２２.５cmが展開されるので、尖った袋底部にはならず、丸みを呈する底部となり、処理後の形状がコンパクトになり収納効率や処理効率も向上する。
【００１２】
上記の様に形成された排泄物処理袋１は、従来の収納容積の排泄物処理袋と比較して角形袋(５重に折り畳み)した容積で約１／２、厚さは従来の食品用ラップと同等の１０μmであるので約１／３、重さに至っては従来は２６gであったが本実施例では７gとすることが可能となる。このことは、災害時等では排泄物処理袋が大量に出されることを考えれば、貴重なスペースの効率化に資するものである。
また、このヒートシールした加熱接着部４は、シール線の下の部分を故意に引き裂いた状態で、水１Lを排泄物処理袋に入れても、シールの巾h(図５参照)が１mmでも溶着していれば水が漏れることはなかった。なお、このシールの巾hは、１mmから５mm程度がシール性もよく扱いやすい。
【００１３】
この薄いフィルムの特徴は、厚さが５〜１５μｍ程度の袋であっても、水等を貯留しても破れることがなく強度(シューレン破裂強さ)があり、柔軟性(引張弾性率)があり畳んでも薄くてよく、且つ、ヒートシールで積層フィルム帯３を接着しても孔が空く(ヒートシール強さ)ことがない。なお、直鎖状低密度ポリエチレン(ＬＬＤＰＥ)の薄いフィルムの厚さを５μｍ〜１５μｍとしたのは、５μｍより薄いと強度が弱く破れやすく、１５μｍより厚いと製品もゴワゴワし扱いづらく嵩張り、従来のポリエチレンフィルムと同じ様に不都合であるからであり、好ましくは、１０μｍの厚さが最適である。
【００１４】
この試験結果を、次の[表１]を図６に示す。
この試験結果の[表１]は、本実施例に使用した直鎖状低密度ポリエチレン(ＬＬＤＰＥ)の厚さ１０μｍの袋であり、シューレン破裂強さについての試験方法は、JIS P8112:2008に準拠して行なった。
また、引張弾性率の試験方法については、JIS K7161；1994(プラスチック−引張特性の試験方法  第１部：通則)、JIS K7127；1999(プラスチック−引張特性の試験方法  第3部：フィルム及びシートの試験条件)に準拠して行なった。
なお、試験速度：１mm/min,つかみ具距離：100mmであり、測定機はオートグラフAG-X plas 5kn(（株）島津製作所製)を使用した。
また、ヒートシール強さの試験方法は、JIS Z 1711:1994(ポリエチレンフィルム)に準拠して行い、試験条件は８枚(本実施例では８枚積層)あるフィルム部を、１枚と７枚それぞれをたるみがでないように試験機のつかみ具に取り付け、ヒートシール部分の外側に孔が空いていないものと、空いているものとで試験を行った。
試験片は幅１５mmの短冊状試験片、試験速度：mm/mimであり、測定機はオートグラフAG-IS 5kN((株)島津製作所製)を使用した。
【００１５】
次に、上述した排泄物処理袋１をトイレとして使用する場合、及び、携帯トイレセットを説明する。
上述したように、本実施例の排泄物処理袋１は５回に折り畳めば１０cm×８cm以内に収まり重さも７gと軽量であるが、図７に示すような、携帯トイレセット６であって、これに消臭凝固剤７の８ｇの１袋を組み合わせても１５ｇである。
この携帯トイレセット６は、排泄物処理袋１を折り畳んで、消臭凝固剤７を載せ梱包袋６１に入れて１セットとしている。
消臭凝固剤７は、例えば、前掲特許文献３に記載されているようなもので、本実施例ではセルレット(登録商標)として市販されているものを使用している。
この消臭凝固剤７は、水溶性の袋７１の中に、消臭剤と凝固剤を混入したもので、消臭剤としてはヤシ殻を焼いたヤシ殻活性炭であり、凝固剤としてはポリアクリル酸ナトリウム(-CH2CHCooNa-)nの高吸水性高分子である。
したがって、排泄物処理袋１に排泄した尿に梱包袋６１ごと投入すれば、直ちに、梱包袋６１が尿に溶け、中の消臭剤と凝固剤が溶けて消臭効果を奏するとともに、凝固剤により尿はゲル化する。
但し、大便の場合には、梱包袋６１を破いて、内部の消臭剤と凝固剤を大便に振りかければよく、凝固剤が水分を吸収して固まり、消臭剤の活性炭が悪臭を抑える作用をする。
【００１６】
ここで、図８、図９に沿って、排泄物処理袋１を用いた携帯トイレセット６の使用方法を説明する。
まず、携帯トイレセット６の梱包袋６１を開け、排泄物処理袋１を取り出し、上側の開口部１１を開き、空気を入れて丸底を形成するように拡げて、図８に示すように、排泄物処理袋１の丸底を様式トイレ８の底に置き、１２０cm円周の開口部１１を広げてトイレ８の縁に折り曲げてセットし、トイレ８の内面に排泄物処理袋１をフィットさせる。この際、排泄物処理袋１は丸底を呈するするので、従来のトイレの容器の内壁形状に合うので、１２０cm円周の開口部１１と相まって、トイレ８の内面に自然とフィットする。
こうして、準備完了後にに使用者は、トイレに座り又はトイレを跨いで、排泄物処理袋１内に排泄する。そして、排泄後には排尿・排便等の排泄物Ｂに消臭凝固剤７を投入すれば、排尿、排便の使用は完了する。
その後、図９に示すように、凝固剤が水分を吸収してゲル状(ゼリー状)に凝固した排尿、排便の排泄物Ｃは約３０秒で小さな塊となり、多くの排泄物処理袋１を積載しても荷崩れがなく安定し、また、そのまま生ゴミ処理が可能となる。
なお、この排泄物処理袋１は再び開口部１１を開いて再使用も可能である。
このように、携帯トイレセット６は非常に小さいので、大量に備蓄することができ、地震、台風、洪水、突風、落雷、竜巻等の災害時等に停電断水でトイレが機能しなくても、排泄物の処理が簡単に出来る。
【００１７】
ところで、上述の使用方法は水の出ない故障したトイレ９を想定したが、小さな段ボールか洗面器があれ、畑などに穴を掘り、段ボールか洗面器を配置して、そこに、前述のトイレ８の場合と同様に、排泄物処理袋１の丸底を段ボールや洗面器の底におき、必要であれば使用者はポンチョ等を着て、和風トイレ風に跨って使用すればよい。
このように、携帯トイレセット６は、野外での使用が可能であるので、災害時は勿論のこと、交通渋滞の車中、介護現場、農作業、工事現場での使用も可能である。
【００１８】
以上のように、本発明の実施例の排泄物処理袋は、畳んでも薄くなり、使用の際に底部が丸味を呈し、強度もあり携帯や扱いが便利となり、大量に備蓄しても場所を占領せず、処理も生ゴミとして処理することが可能である。
また、本発明の実施例の携帯トイレセットは、排泄物処理袋が畳んでも薄くなり、凝固剤と消臭剤とを入れた水溶性の袋と組み合わせても、極めて小型で軽量の携帯トイレセットとなり、家庭や自動車に常備しても場所を取らず、使用形態も故障したトイレや、上部が開放した箱や、野外でも使用できるなど多岐に亘り、備蓄にも最適であり、且つ、排泄物が入った処理袋を廃棄するにも生ゴミ或いは家庭ゴミとして廃棄が可能となり、排泄物がコンパクトに凝固して場所も取らないといった利点がある。
なお、本発明の特徴を損うものでなければ、上記の実施例に限定されるものでないことは勿論であり、例えば、直鎖状低密度ポリエチレン(ＬＬＤＰＥ)の厚さ、襞状部の長さ、襞状部の枚数等は実施例に限定されるものではなく、消臭剤もヤシ殻活性炭ではない他の消臭剤でも良く、凝固剤もポリアクリル酸ナトリウム以外の他の凝固剤でよいことは勿論である。
【符号の説明】
【００１９】
Ｂ・・排泄物、Ｃ・・凝固した排泄物、  
１・・排泄物処理袋、１１・・開口部、１２・・袋底部、
２・・フィルム、２１・・上面部、２２・・下面部、
２３,２３a,２３b,２３c・・襞状部、２４・・中心線
３・・積層フィルム帯
４・・加熱接着部(ヒートシール)
５・・ミシン目、
６・・携帯トイレセット、６１・・梱包袋
７・・消臭凝固剤、７１・・水溶性の袋
８・・トイレ
【図１】
2016059720.tif 000003
【図２】
2016059720.tif 000004
【図３】
2016059720.tif 000005
【図４】
2016059720.tif 000006
【図５】
2016059720.tif 000007
【図６】
2016059720.tif 000008
【図７】
2016059720.tif 000009
【図８】
2016059720.tif 000010
【図９】
2016059720.tif 000011